(57)【要約】【課題】情報表示シールの取扱作業が容易になる遊技機を提供する。【解決手段】遊技機関連情報を表示した情報表示部材１００を備えた遊技機１であって、情報表示部材１００は、第１遊技機関連情報Ｍ１を表示した第１表示部１０２Ａが設けられる第１表示部材１０２と、第２遊技機関連情報Ｍ２を表示した第２表示部１０４Ａが設けられる第２表示部材１０４と、第１表示部材１０２と第２表示部材１０４との間に介在し第１表示部材１０２又は第２表示部材１０４の一方を他方に対して剥離可能に接着する第１接着部材１０８と、を有し、第１表示部材１２を剥離しないときに第１表示部１０２Ａの第１遊技機関連情報Ｍ１が平面方向に露出し、第１表示部材１０２を剥離したときに第２表示部１０４Ａの第２遊技機関連情報Ｍ２が平面方向に露出する。【選択図】      図５
2012035048.tif 000002
【特許請求の範囲】
【請求項１】
遊技機関連情報を表示した情報表示部材を備えた遊技機であって、
前記情報表示部材は、
第１遊技機関連情報を表示した第１表示部が設けられる第１表示部材と、
第２遊技機関連情報を表示した第２表示部が設けられる第２表示部材と、
前記第１表示部材と前記第２表示部材との間に介在し、前記第１表示部材又は前記第２表示部材の一方を他方に対して剥離可能に接着する第１接着部材と、
を有し、
前記第１表示部材を剥離しないときに、前記第１表示部の前記第１遊技機関連情報が平面方向に露出し、
前記第１表示部材を剥離したときに、前記第２表示部の前記第２遊技機関連情報が平面方向に露出する、
ことを特徴とする遊技機。
【請求項２】
前記情報表示部材は、遊技盤に固定された装着部材に取り付けられている、
ことを特徴とする請求項１に記載の遊技機。
【請求項３】
前記装着部材の表面には、凹部が設けられ、
前記凹部に、前記情報表示部材が貼付されている、
ことを特徴とする請求項２に記載の遊技機。
【請求項４】
前記装着部材の表面には、挟持部が設けられ、
前記挟持部は、前記情報表示部材の端部を挟持して前記情報表示部材が前記装着部材の表面から剥がれることを防止する、
ことを特徴とする請求項２又は３に記載の遊技機。
【請求項５】
前記第１接着部材の平面領域が、前記第１表示部材及び前記第２表示部材の平面領域よりも小さく設定されている、
ことを特徴とする請求項１乃至４のいずれか１項に記載の遊技機。
【請求項６】
前記第１接着部材は、前記第２表示部の前記第２遊技機関連情報を避けた位置に介在している、
ことを特徴とする請求項１乃至５のいずれか１項に記載の遊技機。
【請求項７】
前記第１表示部材及び前記第２表示部材が平面方向に沿って相互に重ねられるように配置され、
前記第２表示部材の平面領域が前記第１表示部材の平面領域よりも大きく設定されている、
ことを特徴とする請求項１乃至６のいずれか１項に記載の遊技機。
【請求項８】
前記第１表示部材及び前記第２表示部材が平面方向に沿って相互に重ねられるように配置され、
前記第１表示部は、前記第１表示部材から平面方向に対して直交する方向に突出する第１突出部であり、
前記第２表示部は、前記第２表示部材から平面方向に対して直交する方向に突出する第２突出部であり、
前記第１突出部及び前記第２突出部は、平面方向から視認できるように位置ずれしている、
ことを特徴とする請求項１乃至６のいずれか１項に記載の遊技機。
【請求項９】
前記第１表示部材及び前記第２表示部材の端部には、前記第１表示部材及び前記第２表示部材を剥離するときに摘む摘み部が形成されている、
ことを特徴とする請求項１乃至６のいずれか１項に記載の遊技機。
【請求項１０】
前記第１表示部材及び前記第２表示部材は、異なる色が付されて相互に色分けされている、
ことを特徴とする請求項１乃至９のいずれか１項に記載の遊技機。
【請求項１１】
前記情報表示部材は、前記第２表示部材と前記装着部材の表面との間に介在した第２接着部材によって前記装着部材に接着されており、
前記第２接着部材の接着力は、前記第１接着部材の接着力よりも大きい、
ことを特徴とする請求項２乃至１０のいずれか１項に記載の遊技機。
【請求項１２】
第３遊技機関連情報を表示した第３表示部が設けられる第３表示部材と、
前記第２表示部材と前記第３表示部材との間に介在し、前記第２表示部材又は前記第３表示部材の一方を他方に対して剥離可能に接着する第２接着部材と、
をさらに有し、
前記第２表示部材を剥離しないときに、前記第２表示部の前記第２遊技機関連情報が平面方向に露出し、
前記第２表示部材を剥離したときに、前記第３表示部の前記第３遊技機関連情報が平面方向に露出する、
ことを特徴とする請求項１乃至１１のいずれか１項に記載の遊技機。
【請求項１３】
前記情報表示部材に表示される前記遊技機関連情報は、遊技機の型式番号又は／及び所定のスペックである、
ことを特徴とする請求項１乃至１２のいずれか１項に記載の遊技機。
【発明の詳細な説明】
【技術分野】
【０００１】
本発明は、例えば、パチンコ機やスロットマシンなどの遊技機に関する。
【背景技術】
【０００２】
従来の遊技機には、当該遊技機に関する情報（遊技機種別）が記された情報表示シールが貼り付けられている。この遊技機に関する情報には、例えば、型式番号（型式名称）、スペック（例えば、大当りの確率、賞球払出数など）などが含まれる。
【先行技術文献】
【特許文献】
【０００３】
【特許文献１】特開平０９−２６７５８８号公報
【特許文献２】特開２００３−１４１４９２号公報
【発明の概要】
【発明が解決しようとする課題】
【０００４】
しかしながら、遊技機のリユース（再利用）時には、リユースする部材に上記情報表示シールが貼り付けられていると、その古い遊技機に関する情報を表示している情報表示シールを一旦剥がし、再び、リユースに対応する遊技機の型式番号及び／又はスペックに関する情報を表示した新しい情報表示シールを貼り付ける必要がある。このため、遊技機をリユースする度に、情報表示シールの取扱作業に手間がかかり、煩わしいものとなっていた。
【０００５】
また、古い情報表示シールを剥がすときに、古い情報表示シールをきれいに剥がすことができず、情報表示シールの一部が残ってしまうことがある。この場合には、情報表示シールの一部を完全に剥がすのに手間取り、また、古い情報表示シールの一部が残った上から新しい情報表示シールを貼り付けると、新しい情報表示シールの表面に凸凹ができてしまい、見栄えが悪くなる。
【０００６】
そこで、上記問題点に鑑み、情報表示シールの取扱作業が容易になる遊技機を提供することを目的とする。
【課題を解決するための手段】
【０００７】
本発明は、遊技機関連情報を表示した情報表示部材を備えた遊技機であって、前記情報表示部材は、第１遊技機関連情報を表示した第１表示部が設けられる第１表示部材と、第２遊技機関連情報を表示した第２表示部が設けられる第２表示部材と、前記第１表示部材と前記第２表示部材との間に介在し、前記第１表示部材又は前記第２表示部材の一方を他方に対して剥離可能に接着する第１接着部材と、を有し、前記第１表示部材を剥離しないときに、前記第１表示部の前記第１遊技機関連情報が平面方向に露出し、前記第１表示部材を剥離したときに、前記第２表示部の前記第２遊技機関連情報が平面方向に露出する、ことを特徴とする。
【０００８】
この場合、前記情報表示部材は、遊技盤に固定された装着部材に取り付けられている、ことが好ましい。
【０００９】
この場合、前記装着部材の表面には、凹部が設けられ、前記凹部に、前記情報表示部材が貼付されている、ことが好ましい。
【００１０】
この場合、前記装着部材の表面には、挟持部が設けられ、前記挟持部は、前記情報表示部材の端部を挟持して前記情報表示部材が前記装着部材の表面から剥がれることを防止する、ことが好ましい。
【００１１】
この場合、前記第１接着部材の平面領域が、前記第１表示部材及び前記第２表示部材の平面領域よりも小さく設定されている、ことが好ましい。
【００１２】
この場合、前記第１接着部材は、前記第２表示部の前記第２遊技機関連情報を避けた位置に介在している、ことが好ましい。
【００１３】
この場合、前記第１表示部材及び前記第２表示部材が平面方向に沿って相互に重ねられるように配置され、前記第２表示部材の平面領域が前記第１表示部材の平面領域よりも大きく設定されている、ことが好ましい。
【００１４】
この場合、前記第１表示部材及び前記第２表示部材が平面方向に沿って相互に重ねられるように配置され、前記第１表示部は、前記第１表示部材から平面方向に対して直交する方向に突出する第１突出部であり、前記第２表示部は、前記第２表示部材から平面方向に対して直交する方向に突出する第２突出部であり、前記第１突出部及び前記第２突出部は、平面方向から視認できるように位置ずれしている、ことが好ましい。
【００１５】
この場合、前記第１表示部材及び前記第２表示部材の端部には、前記第１表示部材及び前記第２表示部材を剥離するときに摘む摘み部が形成されている、ことが好ましい。
【００１６】
この場合、前記第１表示部材及び前記第２表示部材は、異なる色が付されて相互に色分けされている、ことが好ましい。
【００１７】
この場合、前記情報表示部材は、前記第２表示部材と前記装着部材の表面との間に介在した第２接着部材によって前記装着部材に接着されており、前記第２接着部材の接着力は、前記第１接着部材の接着力よりも大きい、ことが好ましい。
【００１８】
この場合、第３遊技機関連情報を表示した第３表示部が設けられる第３表示部材と、前記第２表示部材と前記第３表示部材との間に介在し、前記第２表示部材又は前記第３表示部材の一方を他方に対して剥離可能に接着する第２接着部材と、をさらに有し、前記第２表示部材を剥離しないときに、前記第２表示部の前記第２遊技機関連情報が平面方向に露出し、前記第２表示部材を剥離したときに、前記第３表示部の前記第３遊技機関連情報が平面方向に露出する、ことが好ましい。
【００１９】
この場合、前記情報表示部材に表示される前記遊技機関連情報は、遊技機の型式番号又は／及び所定のスペックであることが好ましい。
【発明の効果】
【００２０】
本発明によれば、複数構造の情報表示シールにしているので、最初の出荷時に情報表示シールを貼付すれば、リユース時には、リユースに対応したシールが表面になるようにシールを剥がせばよいので作業効率が向上する。
【図面の簡単な説明】
【００２１】
【図１】本発明の第１実施形態に係る遊技機の斜視図である。
【図２】本発明の第１実施形態に係る遊技機の側面図である。
【図３】本発明の第１実施形態に係る遊技機の遊技盤の正面図である。
【図４】本発明の第１実施形態に係る遊技機のシステム制御系の構成図である。
【図５】本発明の第１実施形態に係る遊技機に取り付けられた情報表示部材の側面図である。
【図６】本発明の第１実施形態に係る遊技機に取り付けられた情報表示部材の各表示部材を１枚ずつ剥がしていく工程を示した説明図である。
【図７】本発明の第１実施形態に係る遊技機に取り付けられた情報表示部材の第１変形例の側面図である。
【図８】本発明の第１実施形態に係る遊技機に取り付けられた情報表示部材の第２変形例の各表示部材を１枚ずつ剥がしていく工程を示した説明図である。
【図９】本発明の第２実施形態に係る遊技機に取り付けられた情報表示部材の平面図である。
【図１０】本発明の第２実施形態に係る遊技機に取り付けられた情報表示部材のＡ―Ａ間で切断した断面図である。
【図１１】本発明の第３実施形態に係る遊技機に取り付けられた情報表示部材の平面図である。
【図１２】本発明の第４実施形態に係る遊技機に取り付けられた情報表示部材の平面図である。
【図１３】本発明の第４実施形態に係る遊技機に取り付けられた情報表示部材のＢ―Ｂ間で切断した断面図である。
【図１４】本発明の第４実施形態に係る遊技機に取り付けられた情報表示部材のＣ―Ｃ間で切断した断面図である。
【図１５】本発明の第４実施形態に係る遊技機に取り付けられた情報表示部材のＤ―Ｄ間で切断した断面図である。
【図１６】本発明の第５実施形態に係る遊技機の装着部材に取り付けられた情報表示部材を示した平面図である。
【図１７】本発明の第５実施形態に係る遊技機の装着部材に取り付けられた情報表示部材（図１６）のＥ−Ｅ間で切断した断面図である。
【図１８】本発明の第６実施形態に係る遊技機の装着部材に取り付けられた情報表示部材を示した平面図である。
【図１９】本発明の第６実施形態に係る遊技機の装着部材に取り付けられた情報表示部材（図１８）のＦ−Ｆ間で切断した断面図である。
【図２０】本発明の第７実施形態に係る遊技機の装着部材に取り付けられた情報表示部材を示した平面図である。
【図２１】本発明の第７実施形態に係る遊技機の装着部材に取り付けられた情報表示部材（図２０）のＧ−Ｇ間で切断した断面図である。
【発明を実施するための形態】
【００２２】
［第１実施形態］
本発明の第１実施形態に係るパチンコ機について、図面を参照して説明する。本実施形態は、本発明をパチンコ機に適用した一例である。なお、以下に示すパチンコ機の構成は、本発明が適用された一例に過ぎないものであり、本発明の範囲が本実施形態のパチンコ機の構成に限定されるものではなく、例えば、スロットマシンにも適用可能である。
【００２３】
図１及び図２に示すように、パチンコ機１は、矩形枠状の外枠２と、この外枠２に開閉自在に枢着された前枠３とを有し、カード式球貸し機（図示略）をサンドイッチ状に挟持する状態で、外枠２が島構造体（図示略）に着脱自在に装着されている。前枠３の前側から遊技盤４が着脱自在に装着され、遊技盤４の前側に対応させて、開閉可能な開閉扉５が設けられている。開閉扉５の前面には、遊技盤４の遊技領域１６の前側をカバーする透明な窓ガラスからなる窓部６と、複数の装飾ランプ７と、複数のスピーカ８と、発射用の遊技球Ｐや入賞球を貯留する貯留皿９と、発射ハンドル１０とが設けられている。
【００２４】
貯留皿９の前面には、所定金額分の球貸しを指示する球貸しボタン１１と、遊技終了時にプリペイドカードの返却を指示するカード返却ボタン１２と、遊技者が操作可能な所謂チャンスボタンと呼ばれる正面視にて楕円形の操作ボタン１３と、遊技終了時や貯留皿９から溢れた貯留球を球抜きする為の球抜きボタン１４とが設けられている。
【００２５】
図３に示すように、鉛直な盤面を形成する遊技盤４には、ガイドレール１５がほぼ環状に設けられ、ガイドレール１５の内側に遊技領域１６が形成され、遊技者の発射ハンドル１０の回動操作により発射された遊技球Ｐが遊技領域１６に案内される。遊技領域１６には、多数の障害釘（図示略）、風車１７、センターケース１８、このセンターケース１８に一体的に設けられた液晶ディスプレイ（演出表示手段）１９及び可動発光装置２０、ゲート式の普通図柄始動口２１、普通入賞口２２、特別図柄表示部２３、普通図柄表示部２４、複数の普通図柄始動保留ランプ２５、第１始動口２６と開閉式の第２始動口２７とを備えた特別図柄始動入賞口２８、開閉式の大入賞口２９や球排出口３０などが配設されている。
【００２６】
遊技領域１６の上部へ発射された遊技球Ｐは、複数の障害釘や風車１７に当たって方向を換えながら落下していき、普通図柄始動口２１、普通入賞口２２、特別図柄始動入賞口２８の第１，第２始動口２６，２７、大入賞口２９の何れかに入賞するか、最下端まで落下して球排出口３０から排出される。普通入賞口２２、特別図柄始動入賞口２８、大入賞口２９の何れかに遊技球Ｐが入賞した場合には、各入賞口２２，２８，２９に応じて予め定められた遊技球Ｐが入賞球として払い出される。
【００２７】
特別図柄始動入賞口２８に入賞した遊技球Ｐを検出した場合、特別図柄表示部２３の特別図柄が変動表示される。特別図柄は、７セグメントＬＥＤ表示器により可変表示される数字や数字以外の文字又は記号（例えば、「３」，「−」等）から構成される。この特別図柄の変動表示に連動して液晶ディスプレイ１９の表示画面においてリーチや大当りに対する遊技者の期待感を喚起するために演出目的で表示される複数の図柄列からなる演出図柄が付随的にスクロール方式で変動表示される。
【００２８】
そして、特別図柄の変動停止タイミングに合わせて演出図柄も変動停止するので、遊技者は、演出図柄の停止態様を見て特別図柄表示部２３の特別図柄の停止態様が当りか否かを認識することができる。例えば、特別図柄が大当り態様で停止したとき、演出図柄も大当り態様（例えば、「７７７」）で停止表示される。なお、特別図柄変動中に、特別図柄始動入賞口２８に遊技球Ｐが入賞した場合、その入賞数が最大４個まで保留球として記憶され、その保留数が液晶ディスプレイ１９の表示画面に表示される。
【００２９】
また、普通図柄始動口２１に入球した遊技球Ｐを検出した場合、普通図柄表示部２４の当りランプ表示部２４ａと外れランプ表示部２４ｂのランプが交互に点灯点滅表示され、当り／外れの抽選結果に基づいて、当りランプ表示部２４ａが点灯表示された場合、特別図柄始動入賞口２８の第２始動口２７の開閉部材２７ａが所定回数開閉される。なお、当り／外れランプ表示部２４ａ，２４ｂが点灯点滅中に、普通図柄始動口２１に遊技球Ｐが入球した場合、その入球数が最大４個まで保留球として記憶され、普通図柄始動保留ランプ２５にてその保留数に応じて表示される。
【００３０】
ここで、特別図柄始動入賞口２８に入賞した遊技球Ｐを検出した場合、液晶ディスプレイ１９の表示画面には、単に複数の演出図柄が変動表示されるだけでなく、キャラクタ（例えば、人間や動物など）を用いて図柄変動表示にストーリー性を持たせて遊技者のリーチや大当りへの期待感を高めるためのリーチ演出画像や大当り予告演出画像等の特定演出画像が表示される。
【００３１】
次に、パチンコ機１の制御系について説明する。
図２に示すように、パチンコ機１の外枠２の裏側には、パチンコ機１を制御する各制御手段（主制御手段４５ａ、払出制御手段４６ａ、演出制御手段４７ａ、液晶表示制御手段４８ａ、電源手段）が装備された基板として、主制御基板４５、払出制御基板４６、演出制御基板４７、液晶表示制御基板４８、電源基板４９が夫々所定位置に配設されている。これら制御基板４５〜４９は、夫々、別体に構成されて電気的に接続され、各制御基板４５〜４８には、ＣＰＵとＲＯＭとＲＡＭとからなるワンチップマイコンと入出力インターフェースとが設けられている。
【００３２】
図４に示すように、主制御基板４５には、普通入賞口ＳＷ５０、特別図柄始動入賞口ＳＷ５１、普通図柄始動口ＳＷ５２、大入賞口ＳＷ５３、特別図柄始動入賞口２８の開閉部材２７ａの開閉ＳＯＬ５４、大入賞口２９の開閉ＳＯＬ５５、払出制御基板４６、演出制御基板４７、特別図柄表示基板５６、普通図柄表示基板５７などが接続されている。なお、ＳＷはスイッチを意味し、ＳＯＬはソレノイドアクチュエータのことである。
【００３３】
主制御基板４５上に装備された主制御手段４５ａは、遊技全体を統括的に制御し、各ＳＷ５０〜５３からのＳＷ信号に基づいて、特別図柄始動入賞口２８の開閉部材２７ａの開閉ＳＯＬ５４、大入賞口２９の開閉ＳＯＬ５５、特別図柄表示基板５６の特別図柄表示部２３、普通図柄表示基板５７の普通図柄表示部２４及び普通図柄始動保留ランプ２５を直接的に制御すると共に、払出制御基板４６の払出制御手段４６ａと、演出制御基板４７の演出制御手段４７ａへ遊技状態に応じて複数の制御コマンドを送信し、これら制御基板４６，４７の制御手段４６ａ，４７ａを介して他の制御機器を間接的に制御する。
【００３４】
演出制御基板４７には、装飾ランプ７、スピーカ８、液晶表示制御基板４８などが接続されている。演出制御基板４７上に装備された演出制御手段４７ａは、主制御手段４５ａから受信する複数の制御コマンドに基づいて、スピーカ８への音の出力や装飾ランプ７の点灯点滅出力を駆動制御すると共に、主制御手段４５ａからの演出に関する制御コマンドに基づいて、液晶表示制御基板４８上に装備された液晶表示制御手段４８ａを介して液晶ディスプレイ１９を有する液晶ディスプレイユニットへ駆動制御信号を出力する。
【００３５】
払出制御基板４６には、払出機構６４、発射制御基板６２などが接続されている。払出機構６４には、払出モータ６５、払出計数ＳＷ５８など設けられている。払出機構６４は、普通入賞口２２、特別図柄始動入賞口２８、大入賞口２９への遊技球Ｐの入賞に応じた賞球を払出すためのものである。払出制御基板４６の払出制御手段４６ａは、主制御手段４５ａから受信した賞球に関する制御コマンドを入力し、払出機構６４の払出モータ６５へ駆動制御信号を出力し、払出機構６４の払出計数ＳＷ５８から検出信号を入力する。
【００３６】
発射制御基板６２には、遊技領域１６へ遊技球Ｐを発射する発射機構６０などが接続されている。発射機構６０には、発射ＳＯＬ６３が設けられており、遊技者が発射ハンドル１０を握って発射ＳＷ６１が検出されると、発射制御基板６２の発射制御手段を介して発射機構６０の発射ＳＯＬ６３へ駆動制御信号が出力される。ここで、発射機構６０において、発射制御手段から発射制御許可信号が入力された場合にだけ、発射ＳＯＬ６３への駆動制御信号の出力が許可される。
【００３７】
（発明の要部）
次に、第１実施形態のパチンコ機の発明の要部について説明する。
【００３８】
図３及び図５に示すように、遊技盤４には、装着部材９０が取り付けられている。この装着部材９０の表面には、情報表示シール１００が貼り付けられている。なお、情報表示シール１００は、遊技盤４に固定される装着部材９０に貼り付けられる構成が好ましいが、これに限られるものではなく、例えば、パチンコ機１の外枠２等の他の部位に貼り付けられていてもよい。
【００３９】
情報表示シール１００は、遊技機関連情報が表示される表示部を備えている。具体的には、情報表示シール１００は、例えば、３層構造で構成されている。すなわち、情報表示シール１００は、第１表示シート１０２と、第２表示シート１０４と、第３表示シート１０６と、を有している。第１表示シート１０２と第２表示シート１０４との間には、第１接着シート１０８が介在している。第２表示シート１０４と第３表示シート１０６との間には、第２接着シート１１０が介在している。さらに、第３表示シート１０６と装着部材９０の表面との間には、第３接着シート１１２が介在している。このように、第１表示シート１０２と、第２表示シート１０４と、第３表示シート１０６と、は高さ方向に沿って相互に重ねられている。
【００４０】
なお、情報表示シール１００を２層構造で採用すると、第１表示シート１０２と、第２表示シート１０４と、を備えたものになる。そして、第１表示シート１０２と第２表示シート１０４との間には、第１接着シート１０８が介在している。また、第２表示シート１０４と装着部材９０の表面との間には、第２接着シート１１０が介在している。このように、第１表示シート１０２と、第２表示シート１０４と、は高さ方向に沿って相互に重ねられている。
【００４１】
第１表示シート１０２の表面には、第１表示部１０２Ａが形成されている。第１表示部１０２Ａ上には、第１遊技機関連情報Ｍ１が表示されている。ここで、第１遊技機関連情報Ｍ１とは、遊技機の型式番号（型式名称）やスペック（例えば、大当りの確率、賞球払出数など）が含まれる。また、第１表示シート１０２の裏面には、第１接着シート１０８が接着している。
【００４２】
第２表示シート１０４の表面には、第２表示部１０４Ａが形成されている。第２表示部１０４Ａ上には、第２遊技機関連情報Ｍ２が表示されている。ここで、第２遊技機関連情報Ｍ２とは、遊技機の型式番号（型式名称）やスペック（例えば、大当りの確率、賞球払出数など）が含まれる。また、第２表示シート１０４の裏面には、第２接着シート１１０が接着している。
【００４３】
第３表示シート１０６の表面には、第３表示部１０６Ａが形成されている。第３表示部１０６Ａ上には、第３遊技機関連情報Ｍ３が表示されている。ここで、第３遊技機関連情報Ｍ３とは、遊技機の型式番号（型式名称）やスペック（例えば、大当りの確率、賞球払出数など）が含まれる。また、第３表示シート１０６の裏面には、第３接着シート１１２が接着している。
【００４４】
一例として、図６に示すように、第１表示シート１０２に形成されている第１表示部１０２Ａには、「ＭＡＸ」という第１遊技機関連情報Ｍ１が表示されている。第２表示シート１０４に形成されている第２表示部１０４Ａには、「ミドル」という第２遊技機関連情報Ｍ２が表示されている。第３表示シート１０６に形成されている第３表示部１０６Ａには、「甘デジ」という第３遊技機関連情報Ｍ３が表示されている。このように、各表示シート１０２、１０４、１０６に形成されている各表示部１０２Ａ、１０４Ａ、１０６Ａには、それぞれ異なる遊技機関連情報が表示されている。
【００４５】
ここで、第１表示シート１０２に形成されている第１表示部１０２Ａに表示されている第１遊技機関連情報Ｍ１と、第２表示シート１０４に形成されている第２表示部１０４Ａに表示されている第２遊技機関連情報Ｍ２と、第３表示シート１０６に形成されている第３表示部１０６Ａに表示されている第３遊技機関連情報Ｍ３と、はそれぞれ異なる情報になっている。これにより、最初（第１番目）に使用する遊技機に対応した第１遊技機関連情報Ｍ１が第１表示シート１０２に形成されている第１表示部１０２Ａに表示されており、次の第２番目に使用する遊技機に対応した第２遊技機関連情報Ｍ２が第２表示シート１０４に形成されている第２表示部１０４Ａに表示されており、次の第３番目に使用する遊技機に対応した第３遊技機関連情報Ｍ３が第３表示シート１０６に形成されている第３表示部１０６Ａに表示されていることにより、遊技機のリユースが発生した場合に、現在搭載されている遊技機の型式番号及び／又はスペックに対応した遊技機関連情報のシールを剥がすだけで表示させることができる。
【００４６】
なお、各接着シート１０８、１１０、１１２は、無色透明であることが好ましい。
【００４７】
ここで、各接着シート１０８、１１０、１１２の接着力の関係は、
第３接着シート１１２の接着力＞第２接着シート１１０の接着力＞第１接着シート１０８の接着力、
の関係が成立するように設定されている（接着シートの条件１）。
【００４８】
また、各接着シート１０８、１１０、１１２の接着力は、接着している各表示シート１０２、１０４、１０６が剥離可能となる程度の接着力に調整されている（接着シートの条件２）。
【００４９】
上記２つの接着力の条件を具備させるために、接着シート１０８、１１０、１１２に用いられる接着剤は、例えば天然ゴム１００重量部に対して、スチレン２〜８重量部とメタクリル酸メチル１０〜１６重量部とをグラフト共重合させて得られた天然ゴムラテックスに、テルペン樹脂系粘着付与剤２〜１０重量部を添加して感圧性のベース接着剤とし、このベース接着剤１００重量部に対して、平均粒径１〜３０μｍの酸化チタン、小麦澱粉、シリカ等の微粒状充填剤を１５０〜２５０重量部を添加してなるものを使用できる。
【００５０】
また、接着力が強い接着剤を得るためには、感圧性のベース接着剤に添加する平均粒径１〜３０μｍの微粒状充填剤の添加量を減らすことにより、実現可能になる。
【００５１】
例えば、第３接着シート１１２に使用する接着剤については、感圧性のベース接着剤に添加する平均粒径１〜３０μｍの微粒状充填剤の添加量が最も減らされており、次いで、第２接着シート１１０に使用する接着剤については、感圧性のベース接着剤に添加する平均粒径１〜３０μｍの微粒状充填剤の添加量が減らされており、さらに、第１接着シート１０８に使用する接着剤については、感圧性のベース接着剤に添加する平均粒径１〜３０μｍの微粒状充填剤の添加量があまり減らされていない。
【００５２】
つまり、第１接着シート１０８のベース接着剤に添加している平均粒径１〜３０μｍの微粒状充填剤の添加量＞第２接着シート１１０のベース接着剤に添加している平均粒径１〜３０μｍの微粒状充填剤の添加量＞第３接着シート１１２のベース接着剤に添加している平均粒径１〜３０μｍの微粒状充填剤の添加量、
という関係を具備することにより、上記した各接着シート１０８、１１０、１１２の接着力の関係（条件１及び条件２）を成立させることが可能になる。
【００５３】
また、第１接着シート１０８の平面領域は、第１表示シート１０２及び第２表示シート１０４の平面領域よりも小さくなるように設定されている。また、第２接着シート１１０の平面領域は、第２表示シート１０４及び第３表示シート１０６の平面領域よりも小さくなるように設定されている。さらに、第３接着シート１１２の平面領域は、第３表示シート１０６の平面領域よりも小さくなるように設定されている。
【００５４】
なお、本明細書において、「接着シートの平面領域」とは、接着シートを平面視（図６で図示）したときに平面上において接着シートが占める面積を意味する。また、「表示シートの平面領域」とは、表示シートを平面視（図６で図示）したときに平面上において表示シートが占める面積を意味する。
【００５５】
さらに、第１接着シート１０８は、第１表示シート１０２と第２表示シート１０４との間に介在している状態で、第１表示シート１０２及び第２表示シート１０４の側端部から外部に突出していない（図５参照）。また、第２接着シート１１０は、第２表示シート１０４と第３表示シート１０６との間に介在している状態で、第２表示シート１０４及び第３表示シート１０６の側端部から外部に突出していない（図５参照）。さらに、第３接着シート１１２は、第３表示シート１０６と装着部材９０の表面との間に介在している状態で、第３表示シート１０６の側端部から外部に突出していない（図５参照）。
【００５６】
また、図６に示すように、各表示シート１０２、１０４、１０６は、平面視（図６から見た方向）にて長方形状となるように形成されている。また、各接着シート１０８、１１０、１１２も同様にして、平面視（図６から見た方向）にて長方形状となるように形成されている。なお、各表示シート１０２、１０４、１０６及び各接着シート１０８、１１０、１１２は、平面視（図６から見た方向）にて多角形状となるように形成されていることが好ましい。
【００５７】
なお、図５では、情報表示シール１００は、全体として３層構造（３枚の表示シートが重ね合わされた構造）である構成を示したが、２層構造（２枚の表示シートが重ね合わされた構造）でもよく、あるいは４層構造（４枚の表示シートが重ね合わされた構造）、５層以上の構造のものでもよい。
【００５８】
次に、第１実施形態のパチンコ機の作用効果について説明する。
【００５９】
（最初の遊技機（第１番目の遊技機）の遊技機関連情報を表示する場合）
図３、図５、図６に示すように、情報表示シール１００が遊技盤４に固定された装着部材９０に貼り付けられている。このとき、第１表示シート１０２に形成されている第１表示部１０２Ａが露出して視認可能になる。第１表示シート１０２に形成されている第１表示部１０２Ａには、最初の遊技機（第１番目の遊技機）の型式番号（型式名称）や当該遊技機のスペック（例えば、大当り確率や賞球払出数など）などの第１遊技機関連情報Ｍ１が表示されている。
【００６０】
（１回目のリユースが行われた遊技機（第２番目の遊技機）の遊技機関連情報を表示する場合）
１回目のリユース時には、遊技盤４に固定されている装着部材９０の情報表示シール１００の第１表示シート１０２をめくって剥がす。このとき、第１表示シート１０２は、第１接着シート１０８が破断して、第２表示シート１０４に対して完全に剥がされる。なお、第２表示シート１０４と第３表示シート１０６との間に介在する第２接着シート１１０の接着力が第１接着シート１０８の接着力よりも強いため、第２表示シート１０４が第１表示シート１０２につられて剥がされることはない。
【００６１】
第１表示シート１０２が完全に剥がされると、第２表示シート１０４に形成されている第２表示部１０４Ａが平面方向に露出して、視認可能になる。第２表示シート１０４に形成されている第２表示部１０４Ａには、１回目のリユースが行われた遊技機（第２番目の遊技機）の型式番号（型式名称）や当該遊技機のスペック（例えば、大当り確率や賞球払出数など）などの第２遊技機関連情報Ｍ２が表示されている。
【００６２】
（２回目のリユースが行われた遊技機（第３番目の遊技機）の遊技機関連情報を表示する場合）
２回目のリユース時には、遊技盤４に固定されている装着部材９０の情報表示シール１００の第２表示シート１０４をめくって剥がす。このとき、第２表示シート１０４は、第２接着シート１１０が破断して、第３表示シート１０６に対して完全に剥がされる。なお、第３表示シート１０６と装着部材９０の表面との間に介在する第３接着シート１１２の接着力が第２接着シート１１０の接着力よりも強いため、第３表示シート１０６が第２表示シート１０４につられて剥がされることはない。
【００６３】
第２表示シート１０４が完全に剥がされると、第３表示シート１０６に形成されている第３表示部１０６Ａが平面方向に露出して、視認可能になる。第３表示シート１０６に形成されている第３表示部１０６Ａには、２回目のリユースが行われた遊技機（第３番目の遊技機）の型式番号（型式名称）や当該遊技機のスペック（例えば、大当り確率や賞球払出数など）などの第３遊技機関連情報Ｍ３が表示されている。
【００６４】
以上のように、遊技機のリユースが行われた場合でも、リユースの度に情報表示シール１００の各表示シート１０２、１０４を１枚ずつ剥がすことが可能なので、情報表示シール１００に表示されている遊技機関連情報Ｍ１、Ｍ２、Ｍ３と情報表示シール１００が貼り付けられている現在の遊技機の情報（型式番号及び／又はスペック）とを完全に対応させることができる。特に、情報表示シール１００の古い表示シートを接着シートの部位で剥がすだけで次の新しい表示シートが露出するため、情報表示シール１００の取扱作業がきわめて容易になる。
【００６５】
また、情報表示シール１００の各表示シート１０２、１０４を接着シート１０８、１１０の部位で剥がすため、各表示シート１０２、１０４をきれいに剥がすことができる。このため、各表示シート１０２、１０４の一部が残ってしまうことがなく、剥がした痕跡も残らない。この結果、情報表示シール１００の表示シートが凸凹にならず、情報表示シール１００の見栄えも良くなる。
【００６６】
また、各接着シート１０８、１１０、１１２の平面領域が各表示シート１０２、１０４、１０６の平面領域よりも小さく設定されており、かつ、各接着シート１０８、１１０、１１２が各表示シート１０２、１０４、１０６の側端部から外部に突出していないため、遊技者やホール関係者は各接着シート１０８、１１０、１１２を視認することができなくなる。このため、情報表示シール１００の見栄えが低下することはない。
【００６７】
（第１実施形態の第１変形例）
次に、第１実施形態の遊技機の情報表示シール１００の第１変形例について説明する。
【００６８】
情報表示シール１００の第１変形例は、各表示シートの各表示部に表示されている遊技機関連情報を避けた部位に各接着シートが位置するように構成されている。すなわち、図７に示すように、第１接着シート１０８は、第２表示シート１０４に形成されている第２表示部１０４Ａに表示されている第２遊技機関連情報Ｍ２を避けた部位に位置している。また、第２接着シート１１０は、第３表示シート１０６に形成されている第３表示部１０６Ａに表示されている第３遊技機関連情報Ｍ３を避けた部位に位置している。
【００６９】
情報表示シール１００の第１変形例によれば、第１接着シート１０８が第２遊技機関連情報Ｍ２に接触せず、第２接着シート１１０が第３遊技機関連情報Ｍ３に接触しないため、第２遊技機関連情報Ｍ２及び第３遊技機関連情報Ｍ３の表面が接着シート１０８、１１０で汚れてしまうことを防止できる。このため、第２遊技機関連情報Ｍ２及び第３遊技機関連情報Ｍ３の表面を常にきれいな状態で維持することができ、見栄えを良くすることができる。
【００７０】
（第１実施形態の第２変形例）
次に、第１実施形態の遊技機の情報表示シール１００の第２変形例について説明する。
【００７１】
図８に示すように、情報表示シール１００の第２変形例は、情報表示シール１００の第１表示シート１０２及び第２表示シート１０４の端部に、摘み部１１４、１１６が設けられている。この摘み部１１４、１１６は、第１表示シート１０２及び第２表示シート１０４の端部を折り返して折返部を形成することにより容易に設けることができる。
【００７２】
情報表示シール１００の第２変形例によれば、第１表示シート１０２に形成された摘み部１１４を摘んでめくり上げることにより、第１表示シート１０２を容易に剥がすことができる。続いて、第２表示シート１０４に形成された摘み部１１６を摘んでめくり上げることにより、第２表示シート１０４を容易に剥がすことができる。このように、各表示シート１０２、１０４に摘み部１１４、１１６を設けることにより、各表示シート１０２、１０４を容易に剥離させることができる。
【００７３】
なお、その他の変形として、各表示シート１０２、１０４、１０６に異なる色を付して色分けするようにしてもよい。これにより、各表示シート１０２、１０４、１０６が表示する各遊技機関連情報の色を、当該遊技機関連情報と合致する遊技機の色に対応させることができる。
【００７４】
［第２実施形態］
次に、本発明の第２実施形態に係るパチンコ機について、図面を参照して説明する。なお、以下の実施形態に関し、第１実施形態に係るパチンコ機の構成と重複する構成については、同符号を付し、適宜、説明を省略する。
【００７５】
図９及び図１０に示すように、第２実施形態の遊技機は、第１表示シート１０２、第２表示シート１０４及び第３表示シート１０６は、長方形状となるように形成されている。また、第１表示シート１０２、第２表示シート１０４及び第３表示シート１０６が平面方向に沿って相互に重ねられるように配置されている。
【００７６】
ここで、第２表示シート１０４の平面領域が第１表示シート１０２の平面領域よりも大きくなるように設定されている。また、第３表示シート１０６の平面領域が第２表示シート１０４の平面領域よりも大きくなるように設定されている。換言すれば、第２表示シート１０４の第１辺１０４Ｂが第１表示シート１０２の第１辺１０２Ｂよりも平面方向（図１０中矢印Ｘ方向）に対して直交する方向（図１０中矢印Ｙ方向）に向って突出している。また、第３表示シート１０６の第１辺１０６Ｂが第２表示シート１０４の第１辺１０４Ｂよりも平面方向（図１０中矢印Ｘ方向）に対して直交する方向（図１０中矢印Ｙ方向）に向って突出している。
【００７７】
すなわち、第３表示シート１０６の長手方向（図９中矢印Ｙ方向）に沿った第２辺１０６Ｃの長さが最も長くなっており、次に、第２表示シート１０４の長手方向（図９中矢印Ｙ方向）に沿った第２辺１０４Ｃの長さが長くなっており、第１表示シート１０２の長手方向（図９中矢印Ｙ方向）に沿った第２辺１０２Ｃの長さが最も短くなっている（第３表示シート１０６の第２辺１０６Ｃの長さ＞第２表示シート１０４の第２辺１０４Ｃの長さ＞第１表示シート１０２の第２辺１０２Ｃの長さ）。
【００７８】
このように、第２実施形態のパチンコ機に用いられる情報表示シール１００は、第１表示シート１０２の第１辺１０２Ｂと第２表示シート１０４の第１辺１０４Ｂとの間に段差があり、第２表示シート１０４の第１辺１０４Ｂと第３表示シート１０６の第１辺１０６Ｂとの間に段差があるように構成されている。
【００７９】
本発明の第２実施形態に係るパチンコ機によれば、第１表示シート１０２の第２辺１０２Ｃの長さが第２表示シート１０４の第２辺１０４Ｃの長さよりも短いので、第１表示シート１０２を剥がすときに、第１表示シート１０２の第１辺１０２Ｂが摘み易くなる。これにより、第１表示シート１０２を容易に剥がすことができる。また、第１表示シート１０２を剥がした後は、第２表示シート１０４の第２辺１０４Ｃの長さが第３表示シート１０６の第２辺１０６Ｃの長さよりも短いので、第２表示シート１０４を剥がすときに、第２表示シート１０４の第１辺１０４Ｂが摘み易くなる。これにより、第２表示シート１０４を容易に剥がすことができる。このようにして、情報表示シール１００の各表示シート１０２、１０４を剥離させるときの作業効率を高めることができる。
【００８０】
［第３実施形態］
次に、本発明の第３実施形態に係るパチンコ機について、図面を参照して説明する。
【００８１】
図１１に示すように、第３実施形態のパチンコ機の情報表示シール１００では、第２表示シート１０４の第１辺１０４Ｂが第１表示シート１０２の第１辺１０２Ｂよりも平面方向に対して直交する方向（図１１中矢印Ｙ方向）に向って突出している。また、第３表示シート１０６の第１辺１０６Ｂが第２表示シート１０４の第１辺１０４Ｂよりも平面方向に対して直交する方向（図１１中矢印Ｙ方向）に向って突出している。
【００８２】
第２表示シート１０４の第２辺１０４Ｃが第１表示シート１０２の第２辺１０２Ｃよりも平面方向に対して直交する方向（図１１中矢印Ｚ方向）に向って突出している。また、第３表示シート１０６の第２辺１０６Ｃが第２表示シート１０４の第２辺１０４Ｃよりも平面方向に対して直交する方向（図１１中矢印Ｚ方向）に向って突出している。
【００８３】
換言すれば、第３表示シート１０６の第１辺１０６Ｂの長さが最も長くなっており、次に、第２表示シート１０４の第１辺１０４Ｂの長さが長くなっており、第１表示シート１０２の第１辺１０２Ｂの長さが最も短くなっている（第３表示シート１０６の第１辺１０６Ｂの長さ＞第２表示シート１０４の第１辺１０４Ｂの長さ＞第１表示シート１０２の第１辺１０２Ｂの長さ）。
【００８４】
また、第３表示シート１０６の長手方向（図１１中矢印Ｙ方向）に沿った第２辺１０６Ｃの長さが最も長くなっており、次に、第２表示シート１０４の長手方向（図１１中矢印Ｙ方向）に沿った第２辺１０４Ｃの長さが長くなっており、第１表示シート１０２の長手方向（図１１中矢印Ｙ方向）に沿った第２辺１０２Ｃの長さが最も短くなっている（第３表示シート１０６の第２辺１０６Ｃの長さ＞第２表示シート１０４の第２辺１０４Ｃの長さ＞第１表示シート１０２の第２辺１０２Ｃの長さ）。
【００８５】
このように、第３実施形態のパチンコ機に用いられる情報表示シール１００は、第１表示シート１０２の第１辺１０２Ｂと第２表示シート１０４の第１辺１０４Ｂとの間に段差があり、第２表示シート１０４の第１辺１０４Ｂと第３表示シート１０６の第１辺１０６Ｂとの間に段差があるように構成されている。また、第１表示シート１０２の第２辺１０２Ｃと第２表示シート１０４の第２辺１０４Ｃとの間に段差があり、第２表示シート１０４の第２辺１０４Ｃと第３表示シート１０６の第２辺１０６Ｃとの間に段差があるように構成されている。
【００８６】
本発明の第３実施形態に係るパチンコ機によれば、第１表示シート１０２の第２辺１０２Ｃの長さが第２表示シート１０４の第２辺１０４Ｃの長さよりも短いので、第１表示シート１０２を剥がすときに、第１表示シート１０２の第１辺１０２Ｂが摘み易くなる。これにより、第１表示シート１０２を容易に剥がすことができる。また、第１表示シート１０２を剥がした後は、第２表示シート１０４の第２辺１０４Ｃの長さが第３表示シート１０６の第２辺１０６Ｃの長さよりも短いので、第２表示シート１０４を剥がすときに、第２表示シート１０４の第１辺１０４Ｂが摘み易くなる。これにより、第２表示シート１０４を容易に剥がすことができる。
【００８７】
また、第１表示シート１０２の第１辺１０２Ｂの長さが第２表示シート１０４の第１辺１０４Ｂの長さよりも短いので、第１表示シート１０２を剥がすときに、第１表示シート１０２の第２辺１０２Ｃが摘み易くなる。これにより、第１表示シート１０２を容易に剥がすことができる。また、第１表示シート１０２を剥がした後は、第２表示シート１０４の第１辺１０４Ｂの長さが第３表示シート１０６の第１辺１０６Ｂの長さよりも短いので、第２表示シート１０４を剥がすときに、第２表示シート１０４の第２辺１０４Ｃが摘み易くなる。これにより、第２表示シート１０４を容易に剥がすことができる。
【００８８】
以上のように、情報表示シール１００の第１表示シート１０２の第１辺１０２Ｂ及び第２辺１０２Ｃを容易に摘むことができるため、第１表示シート１０２の剥離作業が極めて容易になる。また、第１表示シート１０２を剥がした後は、第２表示シート１０４の第１辺１０４Ｂ及び第２辺１０４Ｃを容易に摘むことができるため、第２表示シート１０４の剥離作業が極めて容易になる。
【００８９】
［第４実施形態］
次に、本発明の第４実施形態に係るパチンコ機について、図面を参照して説明する。
【００９０】
図１２、図１３、図１４及び図１５に示すように、第４実施形態のパチンコ機の情報表示シールでは、第１表示シート１０２、第２表示シート１０４及び第３表示シート１０６は、長方形状となるように形成されている。また、第１表示シート１０２、第２表示シート１０４及び第３表示シート１０６が平面方向に沿って相互に重ねられるように配置されている。
【００９１】
第１表示部１０２Ａは、第１表示シート１０２の第１辺１０２Ｂの側端部から平面方向に対して直交する方向（図１２中矢印Ｙ方向）に向って突出して一体形成されている。かつ、第１表示部１０２Ａは、第２表示シート１０４の第１辺１０４Ｂ及び第３表示シート１０６の第１辺１０６Ｂよりも平面方向に対して直交する方向（図１２中矢印Ｙ方向）に向って突出している。なお、第４実施形態では、第１表示部１０２Ａは、本発明の第１突出部に対応する。
【００９２】
第２表示部１０４Ａは、第２表示シート１０４の第１辺１０４Ｂの側端部から平面方向に対して直交する方向（図１２中矢印Ｙ方向）に向って突出して一体形成されている。かつ、第２表示部１０４Ａは、第１表示シート１０２の第１辺１０２Ｂ及び第３表示シート１０６の第１辺１０６Ｂよりも平面方向に対して直交する方向（図１２中矢印Ｙ方向）に向って突出している。なお、第４実施形態では、第２表示部１０４Ａは、本発明の第２突出部に対応する。
【００９３】
第３表示部１０６Ａは、第３表示シート１０６の第１辺１０６Ｂの側端部から平面方向に対して直交する方向（図１２中矢印Ｙ方向）に向って突出して一体形成されている。かつ、第３表示部１０６Ａは、第１表示シート１０２の第１辺１０２Ｂ及び第２表示シート１０４の第１辺１０４Ｂよりも平面方向に対して直交する方向（図１２中矢印Ｙ方向）に向って突出している。なお、第４実施形態では、第３表示部１０６Ａは、第３突出部として位置づけられる。
【００９４】
そして、第１表示部１０２Ａ、第２表示部１０４Ａ及び第３表示部１０６Ａは、平面方向（図１２から見た方向）から全て同時に視認できるように平面方向に対して直交する方向（図１２中矢印Ｚ方向）に沿って位置ずれしている。  
【００９５】
また、図１３は、図１２のＢ−Ｂ間で切断した断面図である。図１４は、図１２のＣ−Ｃ間で切断した断面図である。図１５は、図１２のＤ−Ｄ間で切断した断面図である。図１３から図１５に示すように、第１表示部１０２Ａ、第２表示部１０４Ａ及び第３表示部１０６Ａは、見出し状に形成されている。第１表示部１０２Ａ、第２表示部１０４Ａ及び第３表示部１０６Ａは、同じ形状となるように形成されており、図１２からの平面視にて情報表示シール１００の外郭が１つの長方形となるように形成されている。
【００９６】
本発明の第４実施形態に係るパチンコ機によれば、第１表示シート１０２を剥離するときには、第１表示部１０２Ａを摘み上げる。第１表示部１０２Ａが平面方向に対して直交する方向（図１２中矢印Ｙ方向）に向って突出して形成されているため、第１表示部１０２Ａを容易に摘むことができる。そして、第１表示シート１０２を第２表示シート１０４から完全に剥がす。
【００９７】
次に、第２表示シート１０４を剥離するときには、第２表示部１０４Ａを摘み上げる。第２表示部１０４Ａが平面方向に対して直交する方向（図１２中矢印Ｙ方向）に向って突出して形成されているため、第２表示部１０４Ａを容易に摘むことができる。そして、第２表示シート１０４を第３表示シート１０６から完全に剥がす。
【００９８】
以上のように、各表示シート１０２、１０４を容易に剥離することができる。また、各表示部１０２Ａ、１０４Ａは、同時に露出した状態であるが、相互に高さが異なるため、現在使用している遊技機に関する遊技機関連情報を的確に表示することができる。
【００９９】
［第５実施形態］
次に、本発明の第５実施形態に係るパチンコ機について、図面を参照して説明する。
【０１００】
図１６及び図１７に示すように、第５実施形態のパチンコ機では、装着部材９０の表面には凹部９２が形成され、この凹部９２に情報表示シール１００が貼付されている。凹部９２の深さ寸法は、情報表示シール１００の厚み寸法と略同じ寸法に設定されている。このため、装着部材９０の凹部９２以外の表面と第１表示部１０２Ａと、が面一（つらいち）になっている。
【０１０１】
本発明の第５実施形態に係るパチンコ機によれば、情報表示シール１００が装着部材９０の凹部９２に貼付されているため、情報表示シール１００が貼り付けられている状態及び剥離作業中に、情報表示シール１００が装着部材９０に対して位置ずれしない。また、情報表示シール１００を装着部材９０によって保護することができ、情報表示シール１００の破損を防止できる。さらに、情報表示シール１００が装着部材９０の表面から出っ張らないため、見栄え（意匠性）を良くすることができる。
【０１０２】
［第６実施形態］
次に、本発明の第６実施形態に係るパチンコ機について、図面を参照して説明する。
【０１０３】
図１８及び図１９に示すように、装着部材９０の表面には、凹部９２側に突出した１又は複数の挟持部９４Ａ、９４Ｂが設けられている。一対の挟持部９４Ａ、９４Ｂは、凹部９２の長辺方向に沿って連続して形成されており、情報表示シール１００の長手方向に沿う両端部を凹部９２の底面との間で挟持する。挟持部９４Ａ、９４Ｂは、情報表示シール１００の支持ガイドとして機能する。
【０１０４】
第６実施形態のパチンコ機によれば、情報表示シール１００の長手方向に沿う両端部を一対の挟持部９４Ａ、９４Ｂによって挟持することができる。これにより、凹部９２の底面と挟持部９４Ａ、９４Ｂとによって、情報表示シール１００を挟持することができる。
【０１０５】
［第７実施形態］
次に、本発明の第７実施形態に係るパチンコ機について、図面を参照して説明する。
【０１０６】
図２０及び図２１に示すように、装着部材９０の表面には、凹部９２側に突出した複数の挟持部９４Ａ、９４Ｂが設けられている。各挟持部９４Ａ、９４Ｂは、凹部９２の長辺方向に沿って所定の間隔をあけて形成されており、情報表示シール１００の長手方向に沿う両端部を挟持する。また、凹部９２の一方の長辺側に設けられた挟持部９４Ａと挟持部９４Ａとの間に、凹部９２の他方の長辺に設けられた挟持部９４Ｂが位置している。すなわち、凹部９２の一方の長辺側に設けられた挟持部９４Ａと他方の長辺側に設けられた挟持部９４Ｂとは、相互に位置ずれしている。なお、挟持部９４Ａ、９４Ｂは、情報表示シール１００の支持ガイドとして機能する。
【０１０７】
第７実施形態のパチンコ機によれば、情報表示シール１００の長手方向に沿う両端部を挟持部９４Ａ、９４Ｂによって挟持することができる。これにより、凹部９２の底面と挟持部９４Ａ、９４Ｂとによって、情報表示シール１００を挟持することができる。
【０１０８】
特に、凹部９２の一方の長辺側に設けられた挟持部９４Ａと他方の長辺側に設けられた挟持部９４Ｂとは、相互に位置ずれした状態で設けられているため、挟持部９４Ａ、９４Ｂを小型化して材料費を抑制した設計で、情報表示シール１００を確実に挟持することができる。
【０１０９】
以上、本発明の実施形態について詳述したが、本発明はこれらの実施形態に限定されるものではなく、本発明の趣旨を逸脱しない範囲で種々の変更が可能である。例えば、情報表示シール１００は、遊技機の型式番号及び／又はスペックが記載されたものに限定されるばかりでなく、例えば、特別図柄始動入賞口２８や普通図柄始動口２１や大入賞口２９やセンターケース１８や役物などの表面に貼付されているシールに適用してもよい。この場合も同様の効果を奏することができる。
【符号の説明】
【０１１０】
１        パチンコ機（遊技機）
４        遊技盤
９０      装着部材
９２      凹部
９４Ａ    挟持部
９４Ｂ    挟持部
１００    情報表示シール（情報表示部材）
１０２    第１表示シート（第１表示部材）
１０２Ａ  第１表示部
１０４    第２表示シート（第２表示部材）
１０４Ａ  第２表示部
１０６    第３表示シート（第３表示部材）
１０６Ａ  第３表示部
１０８    第１接着シート（第１接着部材）
１１０    第２接着シート（第２接着部材）
１１２    第３接着シート（第３接着部材）
１１４    摘み部
１１６    摘み部  
Ｍ１      第１遊技機関連情報
Ｍ２      第２遊技機関連情報
Ｍ３      第３遊技機関連情報
【図１】
2012035048.tif 000003
【図２】
2012035048.tif 000004
【図３】
2012035048.tif 000005
【図４】
2012035048.tif 000006
【図５】
2012035048.tif 000007
【図６】
2012035048.tif 000008
【図７】
2012035048.tif 000009
【図８】
2012035048.tif 000010
【図９】
2012035048.tif 000011
【図１０】
2012035048.tif 000012
【図１１】
2012035048.tif 000013
【図１２】
2012035048.tif 000014
【図１３】
2012035048.tif 000015
【図１４】
2012035048.tif 000016
【図１５】
2012035048.tif 000017
【図１６】
2012035048.tif 000018
【図１７】
2012035048.tif 000019
【図１８】
2012035048.tif 000020
【図１９】
2012035048.tif 000021
【図２０】
2012035048.tif 000022
【図２１】
2012035048.tif 000023